(57)【特許請求の範囲】
【請求項１】
前面と、下面の少なくとも一部とが開口されたコルトンボックス本体における左右の側板の内側面に、斜め前上方を向くガイド片を、内向き対向状に設け、前記開口部に装着される可撓性の表示用パネルの両側部後面の少なくとも一部を、前記左右のガイド片の前面に当接させて、後上方に凹入するように斜め前上方に向かって円弧状に弾性変形させ、かつこの状態で、表示用パネルの上下の端部を、それぞれ、前記コルトンボックス本体内の前上端部と後下端部とに設けた上下の保持部により着脱可能に保持したことを特徴とするコルトンボックス。
【請求項２】
ガイド片を、側面視において後上方に向かって凹入する円弧状に湾曲させてなる請求項１記載のコルトンボックス。
【請求項３】
コルトンボックス本体の左右の側板における後下端部から前上端部に向かう前縁を、側面視において後上方に凹入するように、斜め前上方に向かって円弧状に湾曲させ、この円弧状に湾曲させた前縁に近い側板の内側面に、円弧状としたガイド片を設けてなる請求項２記載のコルトンボックス。
【請求項４】
表示用パネルの上端部の保持部を、後方に開口する保持溝とし、同じく下端部の保持部を、前方と上方に開口する側面視Ｌ字状の凹入段部としてなる請求項１〜３のいずれかに記載のコルトンボックス。
【請求項５】
コルトンボックス本体の下端部に、凹入段部の前面開口部を塞ぐストッパ板を着脱可能に装着し、このストッパ板と前記凹入段部とにより形成される上方に開口する保持溝を、表示用パネルの下端部の保持部としてなる請求項４記載のコルトンボックス。
【請求項６】
表示用パネルの下端部に、側面視上向きコ字状断面の縁材を嵌合してなる請求項１〜５のいずれかに記載のコルトンボックス。
【発明の詳細な説明】
【技術分野】
【０００１】
本発明は、商品陳列棚等の上部に装着され、陳列された商品の表示や、宣伝、広告等を行わせるようにしたコルトンボックスに係り、特に、その前面に装着される表示用パネルの取付構造において、新規性と進歩性を具有するものに関する。
【背景技術】
【０００２】
この種のコルトンボックスは、季節毎の商品の入れ替えや、新商品の展示販売、あるいは、店舗の改装、模様替えなどに対応して、商品名等を表示する表示用パネルを交換しうるようにしてあるのが一般的である(例えば特許文献１〜３参照)。
【先行技術文献】
【特許文献】
【０００３】
【特許文献１】特許第４０３１２６９号公報
【特許文献２】特開平１１−１０９８６０号公報
【特許文献３】特開２００３−１６７５３８号公報
【発明の概要】
【発明が解決しようとする課題】
【０００４】
上記特許文献１に記載されているコルトンボックスにおいては、表示用パネルを交換する際には、それが取付けられた外箱毎、商品陳列棚の上部より取り外す必要があるので、表示用パネルの交換作業が面倒であり、かつ大きな作業負担となる。
【０００５】
特許文献２に記載のコルトンボックスにおいては、弾性変形可能な表示用パネルを前方に凸円弧状に湾曲させて、その両側縁部を、コルトンボックス本体における左右に離間する前板の嵌入溝に弾性的に嵌合させて取付けているので、表示用パネルの交換作業は比較的容易である。
しかし、表示用パネルの前面に、表示用フィルム及びその前面を覆うフィルムカバーの周縁部を、嵌合して保持するための枠状をなす保持部を突設してあるので、前方からの見栄えが悪く、かつ表示用パネルの製造コストも増大する。
【０００６】
特許文献３に記載のコルトンボックスにおいては、表示用パネル(表示用フィルム)を、枠状をなす前パネルに装着し、この前パネルを、商品陳列棚の上部に取付けた枠体の前端部に着脱可能に取付けてあるので、表示用パネルを交換する際には、前パネルも枠体より取り外す必要があり、しかも、表示用パネルを固定しているねじやピンも取り外す必要があるので、表示用パネルの交換作業が面倒であるとともに、取付構造が複雑で部品点数も多く、コスト高となる。
また、表示用パネルは、枠状をなす前パネルに装着されているので、前パネルが目立ち過ぎ、体裁が悪い。
【０００７】
本発明は、上記問題点に鑑みてなされたもので、表示用パネルを保持するための特別な保持部材やねじ等を使用することなく、表示用パネルのみを、コルトンボックス本体に、着脱可能として簡単に、かつ体裁よく装着しうるようにし、しかも、表示用パネルの交換作業等を極めて容易に行いうるようにした、安価なコルトンボックスを提供することを目的としている。
【課題を解決するための手段】
【０００８】
本発明によると、上記課題は、次の各項のようにして解決される。
（１）前面と、下面の少なくとも一部とが開口されたコルトンボックス本体における左右の側板の内側面に、斜め前上方を向くガイド片を、内向き対向状に設け、前記開口部に装着される可撓性の表示用パネルの両側部後面の少なくとも一部を、前記左右のガイド片の前面に当接させて、後上方に凹入するように斜め前上方に向かって円弧状に弾性変形させ、かつこの状態で、表示用パネルの上下の端部を、それぞれ、前記コルトンボックス本体内の前上端部と後下端部とに設けた上下の保持部により着脱可能に保持する。
【０００９】
このような構成とすると、表示用パネルを、左右の側板の内側面に設けた斜め上方を向くガイド片に当接させて、斜め前上方に向かって円弧状に弾性変形させると、表示用パネルには、元の形状に弾性復元しようとする復元力が常時作用し、この弾性復元力による突っ張り力を利用して、表示用パネルの上下の端部を、保持部により弾性保持しているだけであるので、表示用パネルのみをコルトンボックス本体から簡単に着脱することができ、その交換作業を、工具等を使用することなく、極めて容易に行うことができる。
また、表示用パネルの周縁部を保持する枠体等の特別な保持部材を用いたり、表示用パネルを固定するねじ等を使用したりする必要がないので、前方から見たコルトンボックス及び表示用パネルの体裁がよく、かつ部品点数や製造コストも削減されるので、安価なコルトンボックスを提供しうる。
さらに、表示用パネルを、斜め前上方に向かって円弧状に湾曲させてあるので、コルトンボックスの下方からの表示用パネルの視認性が向上する。
【００１０】
（２）上記(１)項において、ガイド片を、側面視において後上方に向かって凹入する円弧状に湾曲させる。
【００１１】
このような構成とすると、表示用パネルを、円弧状のガイド片に沿わせて、円弧状に容易に弾性変形させることができるとともに、その形状に保持することができる。
【００１２】
（３）上記(２)項において、コルトンボックス本体の左右の側板における後下端部から前上端部に向かう前縁を、側面視において後上方に凹入するように、斜め前上方に向かって円弧状に湾曲させ、この円弧状に湾曲させた前縁に近い側板の内側面に、円弧状としたガイド片を設ける。
【００１３】
このような構成とすると、コルトンボックスの下部両側方からの表示用パネルの視認性が向上する。
【００１４】
（４）上記(１)〜(３)項のいずれかにおいて、表示用パネルの上端部の保持部を、後方に開口する保持溝とし、同じく下端部の保持部を、前方と上方に開口する側面視Ｌ字状の凹入段部とする。
【００１５】
このような構成とすると、先に表示用パネルの上端部を上方の保持溝に嵌合させてから、表示用パネルの下端部を、凹入段部に前上方から嵌合して保持しうるので、表示用パネルの取付けや取外し作業が極めて容易となる。
【００１６】
（５）上記(４)項において、コルトンボックス本体の下端部に、凹入段部の前面開口部を塞ぐストッパ板を着脱可能に装着し、このストッパ板と前記凹入段部とにより形成される上方に開口する保持溝を、表示用パネルの下端部の保持部とする。
【００１７】
このような構成とすると、表示用パネルの下端部が上方に開口する保持溝により保持されているので、凹入段部から前方に妄りに脱落する恐れはなく、かつストッパ板を取り外すことにより、表示用パネルの下端部を凹入段部より簡単に取り外すことができる。
【００１８】
（６）上記(１)〜(５)項のいずれかにおいて、表示用パネルの下端部に、側面視上向きコ字状断面の縁材を嵌合する。
【００１９】
このような構成とすると、表示用パネルの下端部を、縁材により体裁よく補強しうるとともに、表示用パネルの下端部が、縁材を介して安定よく保持される。
【発明の効果】
【００２０】
本発明によれば、特別な保持部材やねじ等を使用することなく、表示用パネルのみを、コルトンボックス本体に、着脱可能として簡単に装着しうるので、表示用パネルの交換作業等を極めて容易に行うことができる。
【図面の簡単な説明】
【００２１】
【図１】本発明の一実施形態を備える商品陳列棚の側面図である。
【図２】コルトンボックスを斜め下方より見た拡大斜視図である。
【図３】コルトンボックスの分解斜視図である。
【図４】コルトンボックスの中央縦断側面図である。
【図５】コルトンボックスの上端前部の拡大断面図である。
【図６】同じく、下端部の拡大断面図である。
【発明を実施するための形態】
【００２２】
以下、本発明の実施形態を、図面に基づいて説明する。
図１は、本発明のコルトンボックスの一実施形態を備える商品陳列棚の側面図、図２は、コルトンボックスを斜め下方より見た拡大斜視図、図３は、コルトンボックスの分解斜視図、図４は、コルトンボックスの中央縦断側面図である。
【００２３】
コルトンボックス１は、後面板２、左右１対の側板３、３、及び上面板４により形成された、斜め前下方に向かって開口するケース状のコルトンボックス本体５と、その開口部に装着される表示用パネル６とを備えている。
後面板２の左右寸法は、商品陳列棚７の支柱８、８における外側面間の離間寸法よりも若干小とされ、後面の上端部と下部に固着された４個の取付片９の外側縁には、左右の支柱８の前面に列設された左右２列の係合孔１０、１０における内側の上下複数の係合孔１０に係合可能な下向き鉤状のフック１１、１１が、後向きに突設されている。
【００２４】
後面板２の上縁と両側縁には、上片１２と側片１３、１３とが、前向きに折曲形成され、両側片１３の上端部と下部には、前方に開口する側面視倒立Ｌ字状の係合溝１４、１４が形成されている。
後面板２の下縁には、前端に起立片１５ａを有する側面視Ｌ字状断面の前向片１５が折曲形成され、この前向片１５の直上において後面板２の前面下部には、前上端部に、上方と前方に開放する下向きの凹入段部１６ａが形成された左右方向のパネル支持部材１６が、下端部を前向片１５内に嵌合するとともに、両側端が両側片１３の内面と当接または近接するようにして固着されている(図６参照)。
図４に示すように、後面板２の前面上部にスポット溶接等により固着されたブラケット１７には、蛍光灯のような左右方向に長い上下２基の照明器具１８、１８(図３においては図示略)が取り付けられている。
【００２５】
左右の側板３は、側面視概ね倒立直角二等辺三角形をなし、垂直の後辺３ａと水平の上辺３ｂは、それぞれ後面板２の上下寸法と上面板４の前後寸法にほぼ等しくされている。また、上辺３ｂの前端より垂下する短寸の前辺３ｃの下端から、後辺３ａの下端と連続する短寸の下辺３ｄの前端に向かう前縁３ｅは、側面視において後上方に凹入するように、斜め前上方に向かって円弧状に湾曲されている。
【００２６】
左右の側板３、３における前縁３ｅに近い内側面には、前縁３ｅとほぼ同じ曲率半径をなし、かつ側板３の下端部から前上端部に向かって、側面視後上方に凹入する円弧状に湾曲されたガイド片１９、１９が、内向き対向状に固着されている。
【００２７】
図５の拡大断面図にも示すように、上面板４の前縁には、垂下片４ａと、その下縁の後向片４ｂとからなるカバー片４ｃが、下向きに折曲して形成されている。
垂下片４ａの後面には、垂直片２０ａと後向片２０ｂとからなる側面視Ｌ字状断面の左右方向を向くブラケット２０における上記垂直片２０ａが、後向片２０ｂが上記ガイド片１９の前上端の直上に位置するようにして、スポット溶接等により固着されている。ブラケット２０の後向片２０ｂと、カバー片４ｃの後向片４ｂとの対向面間には、表示用パネル６の上端を嵌合して保持するための、後方に開口する左右方向の保持溝２１が、上面板４のほぼ全幅に亘って形成されている。
【００２８】
ブラケット２０の垂直片２０ａの両側縁には、側板３の前端部を固定するためのめねじ孔２２を有する固定片２０ｃが、後向きに連設されている。
上面板４の両側縁には、側片２３が、その外側面と固定片２０ｃの外側面とが同一面に整合するようにして、下向きに折曲形成されている。
【００２９】
図５に示すように、表示用パネル６は、例えば弾性変形可能な透明のアクリル板よりなる前部パネル６ａと、同じく弾性変形可能な半透明のアクリル板よりなる後部パネル６ｂとの間に、文字や絵柄等が印刷された表示用フィルム６ｃをサンドイッチ状に挟んだものよりなり、その左右寸法は、左右の側板３の対向面間の離間寸法とほぼ等しく、上下寸法は、ガイド片１９の長さよりも若干大とされている。
【００３０】
コルトンボックス１を組立てるには、まず、後面板２の両側片１３における上下の係合溝１４、１４に、左右の側板３、３の後端部内側面に固着された正面視倒立Ｌ字状をなす上下２個の係合片２４、２４を、外上方より落とし込んで係合させることにより、後面板２の両側片１３により、左右の側板３の後端部を係止する(図４参照)。その後、両側板３の後上部の隅部に設けた通孔２５より挿入した止めねじ２６を、側片１３の上端部に形成されためねじ孔２７に螺合し、後面板２の上端部に側板３の後上部の隅部を固定する。
【００３１】
ついで、上面板４の後端部を後面板２の上片１２により支持した状態で、両側板３の上部側の前端部に設けた通孔２５より挿入した止めねじ２６を、上面板４の両固定片２０ｃに設けためねじ孔２２に螺合し、両側板３の上部側の前端部を、上面板４の前端部の両側面に固定する。これにより、斜め前下方に開口するコルトンボックス本体５が形成される。
【００３２】
ついで、表示用パネル６の下端部に、図３及び図６に示すような側面視上向きコ字状断面をなす左右方向の縁材２８を嵌合したのち、表示用パネル６を、左右の側板３、３間に、前下方より挿入し、表示用パネル６全体を、両側板３の内側面に設けたガイド片１９、１９の前面に沿わせて、側面視後向き凸円弧状、すなわち、後上方に凹入するように、斜め前上方に向かって円弧状に弾性変形させる(図４参照)。
【００３３】
ついで、まず表示用パネル６の上端部を、上面板４のカバー片４ｃの後面に形成された保持溝２１に嵌合して保持し(図５参照)、そののち、表示用パネル６の下端部に嵌合した縁材２８を、後面板２の下端部の前面に固着されたパネル支持部材１６の凹入段部１６ａに載置して支持する(図６参照)。
【００３４】
ついで、図６に示すように、前向片１５の前端の起立片１５ａと、パネル支持部材１６の前面との間に形成された隙間に、縁材２８の高さよりも若干上方に位置する上下寸法のストッパ板２９を、上方より着脱可能に挿入する。すると、凹入段部１６ａの前面開口部がストッパ板２９により塞がれ、ストッパ板２９の上端部と凹入段部１６ａとの間に、上方に開口する左右方向の保持溝３０が形成される。従って、この保持溝３０内に縁材２８が位置することにより、縁材２８及び表示用パネル６の下端部が前方に脱落するのが防止される。
なお、表示用パネル６を取り外すには、上記と逆の手順で行えばよい。すなわち、まず、ストッパ板２９を取外して、縁材２８と共に表示用パネル６の下端部を凹入段部１６ａより前方に離脱させたのち、表示用パネル６の上端部を上部の保持溝２１より離脱させればよい。
【００３５】
以上の手順により、コルトンボックス本体５における斜め前下方に開口する開口部に、コルトンボックス本体５の下端部から前上端部に向かって、斜め前上方に円弧状に湾曲する表示用パネル６を有するコルトンボックス１が得られる。
【００３６】
組み立てられたコルトンボックス１を商品陳列棚７に取付けるには、後面板２の両側端部の上下複数のフック１１を、左右の支柱８の前面に列設した複数の係合孔１０に係合させればよい。
【００３７】
なお、表示用パネル６は、側面視において後上方に凹入するように、前上方に向かって円弧状に弾性変形させられて装着され、前方に向かって弾性復元しようとする突っ張り力が、上端部においては後上方に、下端部は後下方に常時作用しているので、表示用パネル６の上下の端部が、保持溝２１及び凹入段部１６ａから離脱する恐れは小さい。従って、ストッパ板２９を省略して実施することもある。
また、縁材２８は必ずしも必要ではなく、表示用パネル６の下端部を、凹入段部１６ａにより直接支持してもよい。
【００３８】
以上説明したように、上記実施形態のコルトンボックス１においては、表示用パネル６を、左右の側板３の内側面に設けたガイド片１９に沿わせて、側面視において後上方に凹入する円弧状、すなわち、斜め前上方に円弧状に弾性変形させると、表示用パネル６には、元の形状に弾性復元しようとする復元力が常時作用している。この弾性復元力による突っ張り力を利用して、表示用パネル６の上下の端部を、それぞれ、上面板４の前端部後面の後方に開口する保持溝２１と、後面板２の下端部のパネル保持部材１６の凹入段部１６ａ部に形成された上方に開口する保持溝３０とにより弾性保持しているので、表示用パネル６のみをコルトンボックス本体５から簡単に着脱することができ、表示用パネル６全体の交換作業や、表示フィルム６ｃの交換作業等を、工具等を使用することなく、極めて容易に行うことができる。
【００３９】
また、表示用パネル６の周縁部を保持する枠体等を用いたり、表示用パネル６を固定するねじ等を使用したりする必要がないので、前方から見たコルトンボックス１及び表示用パネル６の体裁がよく、かつ部品点数や製造コストも削減されるので、安価なコルトンボックスを提供しうる。
【００４０】
さらに、表示用パネル６は、斜め前上方に向かって円弧状に湾曲しているので、商品陳列棚７の下方からの表示用パネル６の視認性が向上する。
また、左右の側板３の前縁３ｅを、側面視において後上方に凹入するように、斜め前上方に向かって円弧状に湾曲させ、その前縁３ｅに近い開口部に表示用パネル６を装着してあるので、商品陳列棚７の下部両側方からの表示用パネル６の視認性もよくなる。
【００４１】
上記実施形態では、ガイド片１９を斜め前上方に円弧状に湾曲させてあるが、単に斜め前上方を向くように傾斜させ、その前面に表示用パネル６の後面の一部を当接させて、これを前上方に円弧状に弾性変形させるようにしてもよい。
【符号の説明】
【００４２】
１  コルトンボックス
２  後面板
３  側板
３ａ後辺
３ｂ上辺
３ｃ前辺
３ｄ下辺
３ｅ前縁
４  上面板
４ａ垂下片
４ｂ後向片
４ｃカバー片
５  コルトンボックス本体
６  表示用パネル
６ａ前部パネル
６ｂ後部パネル
６ｃ表示用フィルム
７  商品陳列棚
８  支柱
９  取付片
１０  係合孔
１１  フック
１２  上片
１３  側片
１４  係合溝
１５  前向片
１５ａ起立片
１６  パネル支持部材
１６ａ凹入段部
１７  ブラケット
１８  照明器具
１９  ガイド片
２０  ブラケット
２０ａ垂直片
２０ｂ後向片
２０ｃ固定片
２１  保持溝
２２  めねじ孔
２３  側片
２４  係合片
２５  通孔
２６  止めねじ
２７  めねじ孔
２８  縁材
２９  ストッパ板
３０  保持溝
【図１】
0005453058.tif 000002
【図２】
0005453058.tif 000003
【図３】
0005453058.tif 000004
【図４】
0005453058.tif 000005
【図５】
0005453058.tif 000006
【図６】
0005453058.tif 000007